(57)【要約】【課題】非常事態発生時にエレベーターの乗客の不安感を和らげるような緊急連絡ができなくなる可能性を低減する。【解決手段】エレベーターの情報伝送装置３１に、地震を感知して地震発生信号を生成する地震感知器１３と、地震発生信号を受信した後に、通信経路確立指令信号を生成するエレベーター制御器１と、複数の接続点を備えた通信ネットワーク２３の一つのアクセスポイント３０に接続すると、乗りかごの乗客に対する緊急連絡情報を生成する遠隔監視装置３２との間で信号の送受信をする送受信機７と、通信経路確立指令信号を受信すると、遠隔監視装置３２との通信経路が確立されるまで、繰り返し、アクセスポイント３０のうちの一つを選択し、送受信機７にその接続点との間の接続を試みさせる選択切換器８と、遠隔監視装置３２から伝達される緊急連絡情報を表示する乗りかごに配設された表示器３とを備える。【選択図】図１
2008063085.tif 000002
【特許請求の範囲】
【請求項１】
エレベーターの設置場所に発生した地震を感知して、地震発生信号を生成する地震感知器と、
前記地震感知器にて生成した前記地震発生信号を受信した後に、通信経路確立指令信号を生成するエレベーター制御器と、
複数の接続点を備えた通信ネットワークに接続されて前記エレベーターの乗りかごの乗客に対する緊急連絡情報を生成する遠隔監視装置と、
前記通信ネットワークの一つの接続点に接続すると、前記遠隔監視装置との間で信号の送受信をする送受信機と、
前記エレベーター制御器にて生成された前記通信経路確立指令信号を受信すると、前記遠隔監視装置との通信経路が確立されるまで、繰り返し、前記通信ネットワークの複数の接続点のうちの一つを選択し、前記送受信機にその接続点との間の接続を試みさせる選択切換器と、
前記乗りかごに配設され、前記送受信機に接続されて前記通信ネットワークを介して前記遠隔監視装置から伝達される前記緊急連絡情報を表示する表示器と、
を有することを特徴とするエレベーターの遠隔監視システム。
【請求項２】
前記エレベーター制御器は、前記地震発生信号を受信すると自動的に前記通信経路確立指令信号を生成することを特徴とする請求項１に記載のエレベーターの遠隔監視システム。
【請求項３】
前記乗りかごに配設された複数のボタンを有し、
前記エレベーター制御器は、前記地震発生信号を受け取ると、前記ボタンの一つに緊急連絡ボタンとしての機能を開始させ、その緊急連絡ボタンが押された場合に前記通信経路確立指令信号を生成する、
ことを特徴とする請求項１または請求項２に記載のエレベーターの遠隔監視システム。
【請求項４】
前記乗りかごおよびその設置場所のいずれかに配設されてエレベーターの状態を検出するセンサを有し、
前記送受信機は、前記センサが検知した状態を前記遠隔監視装置に伝達する機能をさらに備えることを特徴とする請求項１ないし請求項３のいずれか１項に記載のエレベーターの遠隔監視システム。
【請求項５】
前記遠隔監視装置に接続されて前記エレベーターの乗りかごに非常事態が発生した場合に保守を行う管理者に前記緊急連絡を伝達する管理者用表示手段を有することを特徴とする請求項１ないし請求項４のいずれか１項に記載のエレベーターの遠隔監視システム。
【請求項６】
エレベーターの設置場所に発生した地震を感知して、地震発生信号を生成する工程と、
前記地震発生信号を受信した後に、通信経路確立指令信号を生成する工程と、
前記通信経路確立指令信号が生成された後に、複数の接続点を備えた通信ネットワークに接続されて前記エレベーターの乗りかごの乗客に対する緊急連絡情報を生成する遠隔監視装置との間の通信経路が確立されるまで、繰り返し、前記通信ネットワークの複数の接続点のうちの一つを選択し、その接続点との間の接続を試みる通信経路確立工程と、
前記通信経路確立工程で確立された通信経路を介して、前記遠隔監視装置から前記緊急連絡情報を前記乗りかご内に配設された表示器に伝達して表示させる工程と、
を有することを特徴とするエレベーターの遠隔監視方法。
【発明の詳細な説明】
【技術分野】
【０００１】
本発明は、エレベーターの遠隔監視システムならびに遠隔監視方法に関する。
【背景技術】
【０００２】
エレベーターの乗りかご内に設置された操作盤には、行き先階を指定するボタン、ドアを開閉するボタンなどの各種ボタンが設けられている。また、操作盤にはエレベーターの昇降方向や到着階などを示すディスプレイ、非常事態が発生したことを外部に連絡する非常連絡ボタン、マイクおよびスピーカーを有するインターホンなどが設けられている。さらに、音声案内装置やディスプレイなどが併設され、時刻表示などの簡単な情報を提供する場合もある。
【０００３】
非常時には、このような操作盤上に配設された非常連絡ボタンを押して、インターホンを介して外部との連絡を図る。一般的には、このインターホンは、一般電話回線などを介して外部と接続されている。
【０００４】
特許文献１には、液晶画面つきの小型電話を組み込み、この小型電話を介して乗りかご内の乗客に対して音声および画像の両方を用いて様々な情報を提供する方法が開示されている。これにより、非常事態が発生したときの外部とのコミュニケーションを改善して、乗客の不安感を和らげるとともに、小型電話を用いたインターネットなどの情報インフラを活用することによって、付加価値の高いサービスを提供することができる。
【特許文献１】特開２００２−２２６１４８号公報
【発明の開示】
【発明が解決しようとする課題】
【０００５】
しかし、エレベーターの乗りかご内から外部への連絡に既設の電話回線などの通信回線を用いる場合には、地震などの災害が発生したときには各地で回線が寸断され、また、通信が集中し、乗りかご内から外部への緊急連絡が困難であるという問題がある。このように緊急連絡ができない場合には、乗りかご内に閉じ込められた乗客は不安を感じる。
【０００６】
そこで本発明は、非常事態発生時にエレベーターの乗客の不安感を和らげるような緊急連絡ができなくなる可能性を低減することを目的とする。
【課題を解決するための手段】
【０００７】
上述の目的を達成するため、本発明は、エレベーターの遠隔監視システムにおいて、エレベーターの設置場所に発生した地震を感知して、地震発生信号を生成する地震感知器と、前記地震感知器にて生成した前記地震発生信号を受信した後に、通信経路確立指令信号を生成するエレベーター制御器と、複数の接続点を備えた通信ネットワークに接続されて前記エレベーターの乗りかごの乗客に対する緊急連絡情報を生成する遠隔監視装置と、前記通信ネットワークの一つの接続点に接続すると、前記遠隔監視装置との間で信号の送受信をする送受信機と、前記エレベーター制御器にて生成された前記通信経路確立指令信号を受信すると、前記遠隔監視装置との通信経路が確立されるまで、繰り返し、前記通信ネットワークの複数の接続点のうちの一つを選択し、前記送受信機にその接続点との間の接続を試みさせる選択切換器と、前記乗りかごに配設され、前記送受信機に接続されて前記通信ネットワークを介して前記遠隔監視装置から伝達される前記緊急連絡情報を表示する表示器と、を有することを特徴とする。
【０００８】
また、本発明は、エレベーターの遠隔監視方法において、エレベーターの設置場所に発生した地震を感知して、地震発生信号を生成する工程と、前記地震発生信号を受信した後に、通信経路確立指令信号を生成する工程と、前記通信経路確立指令信号が生成された後に、複数の接続点を備えた通信ネットワークに接続されて前記エレベーターの乗りかごの乗客に対する緊急連絡情報を生成する遠隔監視装置との間の通信経路が確立されるまで、繰り返し、前記通信ネットワークの複数の接続点のうちの一つを選択し、その接続点との間の接続を試みる通信経路確立工程と、前記通信経路確立工程で確立された通信経路を介して、前記遠隔監視装置から前記緊急連絡情報を前記乗りかご内に配設された表示器に伝達して表示させる工程と、を有することを特徴とする。
【発明の効果】
【０００９】
本発明によれば、非常事態発生時にエレベーターの乗客の不安感を和らげるような緊急連絡ができなくなる可能性が低減される。
【発明を実施するための最良の形態】
【００１０】
本発明に係るエレベーターの情報伝送装置の実施の形態を、図面を参照して説明する。
【００１１】
図２は、本発明に係る一実施の形態のエレベーター設備の側面図である。
【００１２】
エレベーター設備は、乗客を乗せる乗りかご６と、乗りかご６を昇降させる駆動モーター２０を有している。乗りかご６は、建築物内に形成された鉛直方向に延びる昇降路４１に配置される。駆動モーター２０は、昇降路４１の上部に位置する機械室１９に設置される。乗りかご６は、駆動モーター２０に掛け渡されたロープ４０に吊り下げられる。ロープ４０には、駆動モーター２０に対して乗りかご６の反対側に、カウンタウェイト２１が吊り下げられる。乗りかご６には、乗客の乗降のために停止階で開閉するドア１６が取り付けられている。
【００１３】
また、エレベーター設備は、駆動モーター２０などを制御するエレベーター制御器１、および、地震を感知してその信号をエレベーター制御器１に伝達する地震感知器１３を有している。エレベーター制御器１および地震感知器１３は、機械室１９に設置される。また、機械室１９には、送受信機７および選択切換器８が設置される。エレベーター制御器１および送受信機７と乗りかご６との間には、ケーブル２２が延びている。
【００１４】
また、乗りかご６の内部には、センサ５０が取り付けられている。センサ５０は、たとえば温度センサ、煙センサ、人感センサ、加速度センサなどである。なお、センサ５０の取り付け場所は乗りかご６の内部に限定されるものではなく、エレベーター設備の異常を検知できればどこでもよい。たとえば昇降路４１や機械室１９に、センサ５０を設置してもよい。
【００１５】
エレベーター制御器１は、センサ５０から伝達される信号を受信し、災害が発生しているか否かを判定する。地震時に発生するエレベーター設備に関連する災害としては、倒壊、火災、停電などを挙げることができる。たとえば温度センサが所定の判断基準を超える高温を検知した場合や、煙センサが煙を検知した場合などに、エレベーター制御器１は災害が発生したと判断する。災害が発生したと判断した場合には、停電による通信不能状態の回避などのために、予備電源（図示せず）への切り替えを行ってもよい。
【００１６】
図３は、本実施の形態のエレベーターの乗りかごのドアが取り付けられた壁の正面図である。
【００１７】
乗りかご６のドア１６が設置されている壁の一部には、操作盤１５が配設されている。操作盤１５には、目的階を指定する行き先ボタン４２が配列されている。また、操作盤１５は、表示器３および緊急連絡ボタン１７を有している。緊急連絡ボタン１７は、平常時には使用できない状態となっている。
【００１８】
図１は、本実施の形態のエレベーターの遠隔監視システムのブロック図である。
【００１９】
エレベーター遠隔監視システムは、情報伝送装置３１および遠隔監視装置３２を有している。情報伝送装置３１は、地震感知器１３、エレベーター制御器１、選択切換器８、送受信機７、緊急連絡ボタン１７、表示器３およびセンサ５０を有している。エレベーター制御器１と表示器３、緊急連絡ボタン１７およびセンサ５０の間は、機械室１９から乗りかご６に延びるケーブル２２を介して接続されている。
【００２０】
遠隔監視装置３２は、エレベーター設備の設置場所から離れた監視センター内に位置している。遠隔監視装置３２は、送受信機２７、ホストコンピューター１２およびセンター端末１１を有している。センター端末１１は、表示器３および操作卓２を備えている。遠隔監視装置３２は、複数のエレベーター設備を同時に監視できるようになっていてもよい。
【００２１】
エレベーター制御器１とホストコンピュ−ター１２とは、平常時回線６０を介して所定の時間間隔で接続されるようになっている。また、遠隔監視装置３２の送受信機２７は、通信ネットワーク２３のアクセスポイント３０に接続されている。通信ネットワーク２３は、たとえばインターネット網であり、インターネット網への接続点として複数のアクセスポイント３０を有している。
【００２２】
また、ホストコンピュ−ター１２には、管理者用表示手段５４が接続できるようになっている。ホストコンピュ−ター１２と管理者用表示手段５４との間は、常時接続されている必要はなく、情報の伝達が必要な時に適宜接続されるようになっていてもよい。また、ホストコンピュ−ター１２と管理者用表示手段５４との間は、通信ネットワーク２３を介して接続されるようになっていてもよい。
【００２３】
図４は、本実施の形態のエレベーターの遠隔監視方法の流れ図である。
【００２４】
エレベーター遠隔監視システムが動作を開始すると、エレベーター制御器１は、地震感知器１３が地震を感知したか否かを確認する（工程Ｓ１）。エレベーター制御器１は、地震感知器１３が地震を感知するまでは、工程Ｓ１を繰り返し行う。また、エレベーター制御器１とホストコンピュ−ター１２との平常時回線６０を介した接続が、所定の時間、確立できない場合に、地震などの災害が発生したと判断してもよい。
【００２５】
地震などの災害が発生したと判断した場合には、エレベーター制御器１は、操作盤１５の緊急連絡ボタン１７を有効な状態にする（工程Ｓ２）。つまり、地震などの災害が発生したと判断した後に緊急連絡ボタン１７を押すと、遠隔監視装置３２に連絡できるようになる。
【００２６】
また、地震などの災害が発生したと判断した後、エレベーター制御器１は選択切換器８に遠隔監視装置３２への通信経路を確立するように通信経路確立指令信号を伝達する。
【００２７】
通信経路確立指令信号を受信した選択切換器８は、通信経路を選択し（工程Ｓ３）、送受信機７に通信経路の確立を試みさせる（工程Ｓ４）。通信経路とは、たとえばインターネットサービスプロバイダのアクセスポイント３０を経由して、遠隔監視装置３２に接続される経路である。そのアクセスポイント３０と送受信機７との間は、たとえば携帯電話など、通信事業者が提供する通信手段によって接続される。
【００２８】
選択切換器８は、通信経路が確立されたか否かを判定し（工程Ｓ５）、確立されていなければ、通信経路を切り替えながら、通信経路が確立されるまで工程Ｓ３および工程Ｓ４を繰り返す。
【００２９】
たとえば、複数のインターネットアクセスプロバイダのアクセスポイントの電話番号を予め記憶しておき、順次またはランダムに選択した電話番号に電話をかけてインターネットへの接続を確立する。この際、複数の電気通信事業者が提供する通信回線を用いて、アクセスポイントまで接続できるようにしておくことが好ましい。
【００３０】
その後、乗りかご６内の乗客が緊急連絡ボタン１７を押す（工程Ｓ６）ことにより、情報伝送装置３１は遠隔監視装置３２と接続され（工程Ｓ７）、情報のやり取りを開始する。温度センサ、煙センサ、人感センサ、加速度センサなどのセンサ５０によって検出された情報は、遠隔監視装置３２に伝達される（工程Ｓ８）。たとえば人感センサによって、乗りかご内の乗客の有無が検出される。また、煙センサや温度センサによって、火災の発生などが検出される。加速度センサによっては、乗りかご６の異常な振動や昇降路４１を形成する壁の崩落などが検出される。
【００３１】
一方、遠隔監視装置３２は、地震発生の情報を入手した場合には、被災状況情報を収集する（工程Ｓ１１）。なお、地震発生の情報は、外部の地震情報を提供する機関から入手することができる。
【００３２】
遠隔監視装置３２は、収集した被災状況情報に基づいて、適切な緊急連絡情報を生成・選択する（工程Ｓ１２）。ここで、遠隔監視装置３２が収集する被災状況情報は、１箇所のエレベーター設備の情報伝送装置３１から送信されるものに限られるわけではない。たとえば、近接する他の建物に設置されたエレベーター設備から送信された被災状況情報なども基にして、緊急連絡情報を選択してもよい。
【００３３】
遠隔監視装置３２が生成・選択した緊急連絡情報は、情報伝送装置３１に送信される（工程Ｓ１３）。情報伝送装置３１が受信した緊急連絡情報は、表示器３に表示される(工程Ｓ９)。乗りかご６の乗客は、表示器３に表示された緊急連絡情報を見ることができる。緊急連絡情報とは、たとえばそのエレベーター設備の設置場所付近での災害の発生状況や、保守員の到着予想時刻などである。
【００３４】
このように緊急連絡情報が伝達されることによって、乗客は適切な対応ができるようになり、また、乗客の不安感は和らげられる。
【００３５】
また、エレベーター設備の管理者や保守員に、管理者用表示手段５４を介して緊急連絡情報を伝達するようにしてもよい。管理者用表示手段５４は、たとえば管理者や保守員が携帯可能な端末や、管理者や保守員の待機場所に設置された警報装置などである。
【００３６】
この場合には、管理者用表示手段５４に、その管理者などが受け持つ複数のエレベーター設備に対応する緊急連絡情報を全て伝達するようにする。また、その管理者などのエレベーター設備への到着予定時刻などを、この管理者用表示手段５４から遠隔監視装置３２に送信できるようにしておいてもよい。
【００３７】
このように、本実施の形態のエレベーター遠隔監視システムでは、複数の通信経路から一つの通信経路を選択して、情報伝送装置３１と遠隔監視装置３２との間の通信経路を確立するため、災害発生により通信が集中して通信経路を確立できない状況に至る可能性を低減できる。
【００３８】
なお、工程Ｓ３ないし工程Ｓ５における通信経路の確立は、工程Ｓ６の後に行われるようにしてもよい。この場合には、実際に乗りかご６内に乗客が乗っていることが確実な場合のみ、遠隔監視装置３２との通信経路を確保する。このため、緊急連絡ボタン１７を押してから遠隔監視センターに情報が伝達されるまでに若干時間がかかる場合もあるが、不要な場合にまで通信経路を確保することがない。したがって、地震発生時に通信が集中して、他の被災者やエレベーター設備などが通信経路を確保できない状況に至る可能性を低減できる。
【００３９】
また、通信回線として、広く普及している公衆電話回線およびインターネット網を用いることにより、特別な通信回線を布設することなく、災害時の緊急連絡が可能となる。
【００４０】
なお、以上の説明は単なる例示であり、本発明は上述の各実施の形態に限定されず、様々な形態で実施することができる。
【図面の簡単な説明】
【００４１】
【図１】本発明に係る一実施の形態のエレベーター監視システムのブロック図である。
【図２】本発明に係る一実施の形態のエレベーター設備の側面図である。
【図３】本発明に係る一実施の形態のエレベーターの乗りかごのドアが取り付けられた壁の正面図である。
【図４】本発明に係る一実施の形態のエレベーターの遠隔監視方法の流れ図である。
【符号の説明】
【００４２】
１…エレベーター制御器、２…操作卓、３…表示器、６…乗りかご、７…送受信機、８…選択切換器、１１…センター端末、１２…ホストコンピューター、１３…地震感知器、１５…操作盤、１６…ドア、１７…緊急連絡ボタン、１９…機械室、２０…駆動モーター、２１…カウンタウェイト、２２…ケーブル、２３…通信ネットワーク、２７…送受信機、３０…アクセスポイント、３１…情報伝送装置、３２…遠隔監視装置、４０…ロープ、４１…昇降路、４２…行き先ボタン、５０…センサ、５４…管理者用表示手段
【図１】
2008063085.tif 000003
【図２】
2008063085.tif 000004
【図３】
2008063085.tif 000005
【図４】
2008063085.tif 000006